(57)【要約】【課題】各通信キャリアで独自ネットワークを持っており、放送波にてリンク先情報をすべての通信キャリアのネットワーク用に列挙することは、使用者が正しく選択できるとは言えず、所望のデータを取得することが困難であり、放送波より伝送するデータから通信キャリアを意識することなく、各通信キャリアのネットワークから所望のデータを取得することに課題があった。【解決手段】放送波を受信して、コンテンツとして提示可能なデータを抽出し、さらに通信から情報を受信するためのリンク先情報を抽出し、任意の手段により得た通信から受信する際の接続するサーバー情報サーバー情報と、先に抽出したリンク先情報とを合わせて、接続先となるアドレスを作り出し、作り出したアドレスから情報を受信し、所望のリンク先に導く。【選択図】図１
2005328248.tif 000002
【特許請求の範囲】
【請求項１】
テレビジョン放送によりデータを受信する機能と、通信によりデータを取得する機能とをあわせ持つ携帯型デジタルテレビジョン放送受信機であって、
放送波を受信して、受信した信号の中からコンテンツとして提示可能なデータを抽出する放送伝送入力部と、
前記放送伝送入力部より受けたデータから通信から情報を受信するためのリンク先情報をさらに抽出するリンク情報抽出部と、
任意の手段により得た通信から受信する際の接続するサーバー情報を保存しておく記憶部と、
前記記憶部に保存しているサーバー情報と、前記リンク情報抽出部にて抽出したリンク先情報とを合わせて、接続先となるアドレスを作り出す処理部と、
前記処理部において作り出されたアドレスから情報を受信するネットワーク通信部と
により構成されることを特徴とする携帯型デジタルテレビジョン放送受信機。
【請求項２】
前記リンク情報抽出部は、抽出したリンク先情報に接続するサーバーの情報が含まれている場合に、接続するサーバー情報を取り除いて、抽出処理を行う
ことを特徴とする請求項１に記載の携帯型デジタルテレビジョン放送受信機。
【発明の詳細な説明】
【技術分野】
【０００１】
本発明は、テレビジョン放送によりデータを受信する機能と、通信によりデータを取得する機能とをあわせて持つような携帯型デジタルテレビジョン放送受信機に関する。
【背景技術】
【０００２】
ＢＳ放送、ＣＳ放送に続いて、地上波放送でも、デジタルテレビジョン放送が開始された。デジタルテレビジョン放送では、映像と音声のほかにも、ニュースや天気予報といったデータもあわせて受信することが可能であり、新しいサービスが生み出されている。
また、携帯電話をはじめとする携帯型電子機器は、高機能化されてきており、テレビ受信が可能となりつつある。また、地上波デジタルテレビジョン放送では、携帯型の受信携帯も計画されており、近い将来に携帯型電子機器によるデジタルテレビジョン放送受信が可能になると考えられる。
携帯電話として商品となる従来の携帯型デジタルテレビジョン放送受信機では、各通信キャリアごとに閉じられた通信ネットワークに接続して、データを取得し、情報の画面提示を行う。そのため、各通信キャリア共通となるリンク先を与えることはなく、各通信キャリアが独自にポータルサイトを開設し、使用者に所望のリンク先を選択させていた。
【特許文献１】特開２００１−７５９６８号公報
【発明の開示】
【発明が解決しようとする課題】
【０００３】
携帯型デジタルテレビジョン放送受信機において、放送波で伝送されてきたデータを用いて、各通信キャリアのネットワーク上から所望のデータを取得することが考えられる。
しかしながら、各通信キャリアで独自ネットワークを持っており、放送波にてリンク先情報をすべての通信キャリアのネットワーク用に列挙することは、使用者が正しく選択できるとは言えず、所望のデータを取得することが困難になっていた。
したがって、放送波より伝送するデータから通信キャリアを意識することなく、各通信キャリアのネットワークから所望のデータを取得することに課題があった。
【０００４】
本発明では、放送波にてリンク先情報を伝送し、使用者が加入する通信キャリアを意識することがなく所望のリンク先に導くことを可能とすることを目的とする。
【課題を解決するための手段】
【０００５】
上記の、放送波にてリンク先情報を伝送し、使用者が加入する通信キャリアを意識することがなく所望のリンク先に導く方法の課題を解決するために、放送波を受信して、受信した信号の中からコンテンツとして提示可能なデータを抽出する放送伝送入力部と、放送伝送入力部より受けたデータから通信から情報を受信するためのリンク先情報をさらに抽出するリンク情報抽出部と、任意の手段により得た通信から受信する際の接続するサーバー情報を保存しておく記憶部と、記憶部に保存しているサーバー情報と、リンク情報抽出部にて抽出したリンク先情報とを合わせて、接続先となるアドレスを作り出す処理部と、処理部において作り出されたアドレスから情報を受信するネットワーク通信部とを保持していて、所望のリンク先に導く。
以上により、放送波にてリンク先情報を伝送し、使用者が加入する通信キャリアを意識することがなく所望のリンク先に導くことが可能となる。
【発明の効果】
【０００６】
本発明によれば、放送波にてリンク先情報を伝送し、使用者が加入する通信キャリアを意識することがなく所望のリンク先に導くことに対して効果がある。
【発明を実施するための最良の形態】
【０００７】
本願発明は、放送波を受信して、受信した信号の中からコンテンツとして提示可能なデータを抽出する放送伝送入力部と、放送伝送入力部より受けたデータから通信から情報を受信するためのリンク先情報をさらに抽出するリンク情報抽出部と、任意の手段により得た通信から受信する際の接続するサーバー情報を保存しておく記憶部と、記憶部に保存しているサーバー情報と、リンク情報抽出部にて抽出したリンク先情報とを合わせて、接続先となるアドレスを作り出す処理部と、処理部において作り出されたアドレスから情報を受信するネットワーク通信部とを保持していて、所望のリンク先に導くことにより、放送波にてリンク先情報を伝送し、使用者が加入する通信キャリアを意識することがなく所望のリンク先に導くことが可能となる。
【０００８】
以下、図面を用いて本発明の実施の形態について説明する。
【０００９】
（実施の形態１）
本願の第１の発明に係る携帯型デジタルテレビジョン放送受信機に関する構成を図１と図２を用いて説明する。
【００１０】
テレビジョン放送受信機１００には、放送波を受信して、受信した信号の中からコンテンツとして提示可能なデータを抽出する放送伝送入力部１０１と、放送伝送入力部１０１より受けたデータから通信から情報を受信するためのリンク先情報をさらに抽出するリンク情報抽出部１０２と、任意の手段により得た通信から受信する際の接続するサーバー情報を保存しておく記憶部１０３と、記憶部１０３に保存しているサーバー情報と、リンク情報抽出部１０２にて抽出したリンク先情報とを合わせて、接続先となるアドレスを作り出す処理部１０４と、処理部１０４において作り出されたアドレスから情報を受信するネットワーク通信部１０５を有している。
次に、図１と図２を用いて、各構成要素のつながりを説明する。
テレビジョン放送受信機１００には、データ放送を受信する機能と通信ネットワーク上のサーバからデータを取得する機能を持っている。放送伝送入力部１０１では、放送波を受信して、受信した信号の中からセクションデータを抽出し、コンテンツとして提示可能なデータに構成する。
リンク情報抽出部１０２では、放送伝送入力部１０１で抽出されたセクションデータの中から、通信から情報を受信するためのリンク先情報をさらに抽出する。また、使用者からリンク先に遷移する動作を要求されることをトリガとしてリンク先情報を抽出してもよい。リンク先情報は、図２のリンク先情報２０２のような形式にて、抽出できればよい。
記憶部１０３には、任意の手段により得た通信から受信する際の接続するサーバー情報を保存しておく。任意の手段とは、工場出荷時にＲＯＭに保存しておくことや、通信キャリアとの契約時にＮＶＲＡＭに書き込むことである。サーバー情報は、図２のサーバー情報２０１のような形式にて、保存できていればよい。
処理部１０４では、記憶部１０３に保存しているサーバー情報と、リンク情報抽出部１０２にて抽出したリンク先情報とを合わせて、接続先となるアドレスを作り出す。図２のサーバ情報２０１とリンク先情報２０２を組み合わせて、接続アドレス２０３を作り出す。
ネットワーク通信部１０５では、処理部１０４において作り出された接続アドレスに対して、データの取得を要求し、所望のデータを取得する。
【００１１】
以上のように本実施の形態によれば、記憶部になんらかのサーバー情報(アドレス)が、記載されていることを前提としてデータ放送（コンテンツ）が伝送されてくるので、放送局が、放送受信機として携帯電話のような商品形態を想定したときに有効な実施の形態である。
【００１２】
（実施の形態２）
本願の第２の発明に係る携帯型デジタルテレビジョン放送受信機に関して図１と図３を用いて説明する。
携帯型デジタルテレビジョン放送受信機に関する構成については、第１の発明に対する実施の形態で説明したものと同様である。
【００１３】
次に、図１と図３を用いて、各構成要素のつながりを説明する。
テレビジョン放送受信機１００には、データ放送を受信する機能と通信ネットワーク上のサーバからデータを取得する機能を持っている。放送伝送入力部１０１では、放送波を受信して、受信した信号の中からセクションデータを抽出し、コンテンツとして提示可能なデータに構成する。
リンク情報抽出部１０２では、放送伝送入力部１０１で抽出されたセクションデータの中から、通信から情報を受信するためのリンク先情報をさらに抽出する。抽出したリンク先情報に接続するサーバーの情報が含まれている場合に、接続するサーバー情報を取り除いて、抽出処理を行う。また、使用者からリンク先に遷移する動作を要求されることをトリガとしてリンク先情報を抽出してもよい。リンク先情報は、図３のリンク先情報３０２の下線部ような形式にて、抽出できればよい。
記憶部１０３には、任意の手段により得た通信から受信する際の接続するサーバー情報を保存しておく。任意の手段とは、工場出荷時にＲＯＭに保存しておくことや、通信キャリアとの契約時にＮＶＲＡＭに書き込むことである。サーバー情報は、図３のサーバー情報３０１のような形式にて、保存できていればよい。
処理部１０４では、記憶部１０３に保存しているサーバー情報と、リンク情報抽出部１０２にて抽出したリンク先情報とを合わせて、接続先となるアドレスを作り出す。図３のサーバ情報３０１とリンク先情報３０２を組み合わせて、接続アドレス３０３を作り出す。
ネットワーク通信部１０５では、処理部１０４において作り出された接続アドレスに対して、データの取得を要求し、所望のデータを取得する。
【００１４】
以上のように、本実施の形態によれば、記憶部に何らかのサーバー情報(アドレス)が記載されていなくてもどこかのサーバーにアクセスできることを考えて、データ放送（コンテンツ）が伝送されてくるので、放送局は、受信機として、携帯電話だけではなくＰＤＡ等の商品形態も実施することが可能になる。放送局は、最低限、自局のWebサーバーに導けるようにデータ放送(BML文書)を記載し、受信機は、記憶部にサーバー情報があればその情報にあわせて各通信キャリアの独自ネットワークへアクセスするようにアドレスを変換し、記憶部にサーバー情報がなければそのままのアドレスを使用してインターネットに接続することにより、放送の世界から、通信の世界に導くことが可能となる。
【産業上の利用可能性】
【００１５】
本発明にかかる携帯型デジタルテレビジョン放送受信機は、放送波にてリンク先情報を伝送し、使用者が加入する通信キャリアを意識することがなく所望のリンク先に導くことが必要なテレビジョン放送によりデータを受信する機能と、通信によりデータを取得する機能とをあわせて持つような携帯型デジタルテレビジョン放送受信機等の用途にも適用できる。
【図面の簡単な説明】
【００１６】
【図１】本願発明の実施の形態１，２に係る、リンク先に導くための携帯型デジタルテレビジョン放送受信機を示す図
【図２】実施の形態１において、処理するアドレスの形態（１）を示す図
【図３】実施の形態２において、処理するアドレスの形態（２）を示す図
【符号の説明】
【００１７】
１００    テレビジョン放送受信機
１０１    放送伝送入力部
１０２    リンク情報抽出部
１０３    記憶部
１０４    処理部
１０５    ネットワーク通信部
【図１】
2005328248.tif 000003
【図２】
2005328248.tif 000004
【図３】
2005328248.tif 000005